(57)【要約】【課題】ケース部材の有効活用することが可能な携帯電子機器を提供することである。【解決手段】第１筐体フロントケース４と、第１筐体フロントケース４にインサート成形され、液晶モジュール１９を収納するための収納凹部４ａが形成されたインサート板金１６と、収納凹部４ａを形成する側壁部４ｂに係合された第１筐体リアケース５と、を有する。【選択図】図６
2011171928.tif 000002
【特許請求の範囲】
【請求項１】
第１ケースと、
前記第１ケースにインサート成形され、電子部品を収納するための収納凹部が形成されたケース部材と、
前記収納凹部を形成する側壁部に係合されて前記第１ケースと共に筐体を構成する第２ケースと、を有する
携帯電子機器。
【請求項２】
前記ケース部材は、前記第１ケースの外部方向側において前記側壁部に並設される側板部を有し、
前記側板部の高さ方向の長さは、前記側壁部の高さ方向の長さよりも長い
請求項１に記載の携帯電子機器。
【請求項３】
前記側壁部には、前記第２ケースが係合される係合貫通孔が形成され、
前記第２ケースには、係合爪部が形成され、
前記係合爪部が前記係合貫通孔を通過して前記収納凹部に侵入することによって前記第２ケースは、前記収納凹部を形成する前記側壁部に係合される
請求項１に記載の携帯電子機器。
【請求項４】
前記ケース部材は、前記側壁部の頂点から前記第１ケースの外部方向側に形成される天面部を有し、
前記係合貫通孔は、前記側壁部から前記天面部まで跨って形成される
請求項３に記載の携帯電子機器。
【請求項５】
前記第２ケースの係合爪部が、前記側壁部の頂点にまで延設されている
請求項３又は４に記載の携帯電子機器。
【請求項６】
前記係合爪部は、前記収納凹部に収納される電子部品を位置決め固定する
請求項３〜５に記載の携帯電子機器。
【請求項７】
前記係合貫通孔は、ヒンジ部から離間した位置に形成される
請求項３〜６に記載の携帯電子機器。
【請求項８】
前記係合貫通孔は、前記収納凹部に収納された電子部品の外延に対応する領域とは異なる位置に形成される
請求項３〜７に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、フロントケースと、フロントケースにインサート形成され、電子部品を収納するための収納凹部が形成されたケース部材と、フロントケースに係合されたリアケースと、を有する携帯電子機器が開示されている。
【先行技術文献】
【特許文献】
【０００３】
【特許文献１】特開２００８―１３１４４０号公報
【発明の概要】
【発明が解決しようとする課題】
【０００４】
しかしながら、特許文献１に記載の方法において、ケース部材の有効活用が望まれていた。
【０００５】
本発明の目的は、ケース部材を有効活用することが可能な携帯電子機器を提供することである。
【課題を解決するための手段】
【０００６】
本発明の携帯電子機器は、第１ケースと、前記第１ケースにインサート成形され、電子部品を収納するための収納凹部が形成されたケース部材と、前記収納凹部を形成する側壁部に係合されて前記第１ケースと共に筐体を構成する第２ケースと、を有する。
【０００７】
好適には、前記ケース部材は、前記第１ケースの外部方向側において前記側壁部に並設される側板部を有し、前記側板部の高さ方向の長さは、前記側壁部の高さ方向の長さよりも長い。
【０００８】
好適には、前記側壁部には、前記第２ケースが係合される係合貫通孔が形成され、前記第２ケースには、係合爪部が形成され、前記係合爪部が前記係合貫通孔を通過して前記収納凹部に侵入することによって前記第２ケースは、前記収納凹部を形成する前記側壁部に係合される。
【０００９】
好適には、前記ケース部材は、前記側壁部の頂点から前記第１ケースの外部方向側に形成される天面部を有し、前記係合貫通孔は、前記側壁部から前記天面部まで跨って形成される。
【００１０】
好適には、前記第２ケースの係合爪部が、前記側壁部の頂点にまで延設されている。
【００１１】
好適には、前記係合爪部は、前記収納凹部に収納される電子部品を位置決め固定する。
【００１２】
好適には、前記係合貫通孔は、ヒンジ部から離間した位置に形成される。
【００１３】
好適には、前記係合貫通孔は、前記収納凹部に収納された電子部品の外延に対応する領域とは異なる位置に形成される。
【発明の効果】
【００１４】
本発明によると、ケース部材を有効活用することが可能な携帯電子機器を提供することができる。
筺携帯電子機器を提供することができる。
【図面の簡単な説明】
【００１５】
【図１】本発明の実施形態に係る携帯電話機の外観を示す斜視図である。
【図２】閉状態の携帯電話機の第１筐体リアケース側からの正面図である。
【図３】第１筐体から表示部を除去した、表面方向位置からの外観斜視図である。
【図４】係合貫通孔の近傍である図３の係合貫通孔部分Ａを拡大した拡大図である。
【図５】係合貫通孔に係合爪部が係合している状態、つまり、第１筐体リアケースが装着された状態の図４と同じ部分における説明図である。
【図６】図３のＶＩ−ＶＩ断面における説明図である。
【図７】本実施形態の変形例の説明図である。
【発明を実施するための形態】
【００１６】
図１は、本発明の実施形態に係る携帯電話機１の外観を示す斜視図である。
【００１７】
携帯電話機１は、折り畳み式として構成されている。
携帯電話機１は第１筐体２及び第２筐体３とを有している。
第１筐体２と第２筐体３とは、ヒンジ部９で開動可能に連結されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１８】
第１筐体フロントケース４及び第１筐体リアケース５は互いに固定され、第１筐体フロントケース４及び第１筐体リアケース５の間に形成された空間に種々の電子部材を収容する収容空間を構成する。
なお、第１筐体リアケース５は、図１では現れていないが、第１筐体フロントケース４の裏側に配置されている（図２及び図４参照のこと）。
第２筐体フロントケース６及び第２筐体リアケース７も互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、板金及び樹脂により形成されている。
【００１９】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
なお、表面方向及び裏面方向によって形成される方向を高さ方向という。
【００２０】
また、第１筐体２においてヒンジ部９に向かう方向をヒンジ部方向（図１の第１筐体２においては、紙面下の方向）といい、その逆をヒンジ部反対方向（図１の第１筐体２においては、紙面上方向）という。
同様に、第２筐体３においても、ヒンジ部９に向かう方向をヒンジ部方向（図１の第２筐体３においては、紙面上の方向）といい、その逆をヒンジ部反対方向（図１の第２筐体３においては、紙面下の方向）という。
【００２１】
さらに、図１の第１筐体２を上側にし、第２筐体３を下側にした場合に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
なお、第１筐体２又は第２筐体３の中心から外部（第１筐体２又は第２筐体３の端部側）に延びる方向を外部方向という。
【００２２】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２３】
また、図１のように、第２筐体フロントケース６の表面方向には、入力部１０が配置されている。この入力部１０をユーザが操作することによって、携帯電話機１に命令の入力、文字の入力等がなされる。
【００２４】
図２は、閉状態の携帯電話機１の第１筐体リアケース５側からの正面図である。
【００２５】
図２のように、第１筐体リアケース５は、第１筐体２の裏面方向に配置されている。
【００２６】
図３は、第１筐体２から表示部８を除去した、表面方向位置からの外観斜視図である。
【００２７】
図３のように、第１筐体フロントケース４は、インサート板金１６と樹脂部１４を有する。
そして、インサート板金１６の外周部には樹脂部１４が、インサート板金１６を取り囲むように配置されている。
第１筐体フロントケース４は、曲げ、穴あけ等によって一定形状に形成されたインサート板金１６を金型内に固定して、当該金型に樹脂を流し込むことによる一体形成（インサート形成）がなされている。
なお、第１筐体フロントケース４の、ヒンジ部方向位置にはヒンジ部９が形成されている。
また、第１筐体フロントケース４の外周部を構成する側面には、それぞれ右側面１１及び左側面１２が形成されている。
【００２８】
第１筐体フロントケース４には、電子部品の一例である液晶モジュール１９（図７も参照のこと）を収納するための収納凹部４ａと、液晶モジュール１９を保護するための強化ガラス１７を収納するための天面部４ｄを有する。
この収納凹部４ａは、底面部４ｃと側壁部４ｂから構成されている。
なお、図３において、括弧内に記載している符号はその部材を構成しているのが、インサート板金１６であるか、それとも、樹脂部１４であるかについてまで区別する為に付与している符号である（図６も参照のこと）。
つまり、底面部４ｃは、インサート板金１６の板金底面部１６ｃから構成されている。
同様に、側壁部４ｂは、樹脂部１４の樹脂側壁部１４ｂ及びインサート板金１６の板金側壁部１６ｂによって構成されている。
また、天面部４ｄは、表面方向側に樹脂部１４から形成される樹脂天面部１４ｄ及び内部（裏面方向）にインサート板金１６から形成される板金天面部１６ｄによって構成されている。
【００２９】
側壁部４ｂから天面部４ｄに跨って、６個の係合貫通孔１８が設けられている。
この係合貫通孔１８は、第１筐体フロントケース４（樹脂部１４及びインサート板金１６）を貫通している。
この係合貫通孔１８に係合爪部５ａが係合することによって、第１筐体フロントケース４と第１筐体リアケース５が接合される。
なお、第１筐体フロントケース４と第１筐体リアケース５との固定は、この係合貫通孔１８と係合爪部５ａとによる固定のほか、ヒンジ部９近傍位置ではネジ等によって固定される。
ここで、第１筐体フロントケース４に形成された係合貫通孔１８は、ヒンジ部９付近には形成せず、ヒンジ部９付近はネジ等によって固定する。
なぜなら、携帯電話機１は、許容以上に開状態に開ける方向に力を受ける場合、第１筐体２と第２筐体３とがねじり方向に力を受ける場合等がある。
この場合には、第１筐体フロントケース４のヒンジ部９及びその近傍の位置には多くの応力が発生する。
このような応力に耐える為に第１筐体フロントケース４には、高い剛性を必要とする。
そのため、第１筐体フロントケース４のヒンジ部９の近傍には、第１筐体フロントケース４の強度を低下させるおそれのある係合貫通孔１８を配置しないことが好ましい。
つまり、係合貫通孔１８はヒンジ部９から離間した位置に配置し、これによって、第１筐体フロントケース４の強度を維持するという効果を発揮させている。
【００３０】
この第１筐体フロントケース４に形成された係合貫通孔１８をヒンジ部９付近には形成しない概念は、より上位概念化すれば、応力が集中するおそれのある部分には、係合貫通孔１８を設けない方が好ましいという概念である。
この概念は、換言すれば、第１筐体フロントケース４の収納凹部４ａに収納された電子部品（液晶モジュール１９等）の外延に対応する領域には係合貫通孔１８を設けない方が好ましいという概念である。
つまり、収納凹部４ａに収納される電子部品はある程度の強度を有するため、第１筐体フロントケース４に外力が加えられたときには、その電子部品の外延部に対応する領域に多くの応力が加わる。
そこで、その応力が加わる部分を避けて係合貫通孔１８を設けた方が好ましい。
図３のように、収納凹部４ａに１つの電子部品である液晶モジュール１９が収納されている場合には、液晶モジュール１９の外延（外周）に対応する領域は収納凹部４ａのそれぞれ四隅となる。
したがって、この四隅及びその近傍には係合貫通孔１８を設けないことになる。
なお、ここで、説明した電子部品は１つである必要はなく、収納凹部４ａに複数の電子部品が収納される場合には、その複数の電子部品の外延部にそれぞれ対応する部分には、係合貫通孔１８を設けないようにしても良い。
以上のように構成したことによって、第１筐体フロントケース４の強度を保持しつつ、係合貫通孔１８を形成することが可能となる。
【００３１】
図４は、係合貫通孔１８の近傍である図３の係合貫通孔部分Ａを拡大した拡大図である。
もっとも、第１筐体リアケース５の係合爪部５ａは省略している。
【００３２】
図４のように、収納凹部４ａを構成する底面部４ｃは、樹脂部１４から形成される樹脂底面部１４ｃ及びインサート板金１６から形成される板金底面部１６ｃを有する。
この樹脂底面部１４ｃは、係合貫通孔１８の近傍に形成されている。
また、収納凹部４ａを構成する側壁部４ｂは、樹脂部１４から形成される樹脂側壁部１４ｂ及びインサート板金１６から形成される板金側壁部１６ｂを有する。
この樹脂側壁部１４ｂは、係合貫通孔１８の近傍の側壁部４ｂの全面及び、他の部分の側壁部４ｂの表面方向側に形成されている。
また、第１筐体フロントケース４には、強化ガラス１７を収納する為に、天面部４ｄとガラス側壁部４ｅが形成されている（図７も参照のこと）。
天面部４ｄは、強化ガラス１７の平面の外側部分を支持しており、両者は両面テープ等で接合される。
また、ガラス側壁部４ｅは、強化ガラス１７の側面と対向して、ヒンジ部方向、ヒンジ部反対方向、右側面方向及び左側面方向への強化ガラス１７の移動を制限している。
ガラス側壁部４ｅは、樹脂部１４から形成された樹脂ガラス側壁部１４ｅから構成される。
天面部４ｄは底面部４ｃと平行であり、ガラス側壁部４ｅは側壁部４ｂと略平行である。
また、底面部４ｃと側壁部４ｂとは、直角である（図６も参照のこと）。
なお、平行とは、完全な平行のみならず、ある程度角度を有していても良い。また、直角についても、完全に９０°である必要はなく、角度にある程度の幅を有していて良い。
【００３３】
係合貫通孔１８は、側壁部４ｂから天面部４ｄに跨って形成される。
より具体的には、側壁部４ｂの高さ方向の中央付近から天面部４ｄの外部方向の中央より外部位置までの区間に直方体形状の空洞部を形成して、係合貫通孔１８は形成される。
このように形成したことによって、側壁部４ｂには、表面方向に面した貫通孔天面部４ｇが形成される。
また、このように形成したことによって、天面部４ｄのヒンジ部方向及びヒンジ部反対方向には、貫通孔第２側壁部４ｆが形成される。
さらに、このように形成したことによって、天面部４ｄの外部方向の位置には、第１筐体２の内部方向に面した貫通孔第１側壁部４ｈが形成される。
貫通孔第１側壁部４ｈは側壁部４ｂと平行に形成されている。
また、２つの貫通孔第２側壁部４ｆはお互いに平行に形成されており、天面部４ｄ及び側壁部４ｂと直角に形成されている。
さらに、貫通孔天面部４ｇは、天面部４ｄと平行に形成されている。
貫通孔第１側壁部４ｈは、樹脂部１４の樹脂貫通孔第１側壁部１４ｈと、インサート板金１６の板金貫通孔第１側壁部１６ｈから形成されている。
樹脂貫通孔第１側壁部１４ｈの裏面方向の位置に、板金貫通孔第１側壁部１６ｈが配置されている。
貫通孔第２側壁部４ｆは、樹脂部１４の樹脂貫通孔第２側壁部１４ｆによって形成されている。
貫通孔天面部４ｇは、樹脂部１４の樹脂貫通孔天面部１４ｇによって形成されている。
【００３４】
図５は、係合貫通孔１８に係合爪部５ａが係合している状態、つまり、第１筐体リアケース５が装着された状態の図４と同じ部分における説明図である。
【００３５】
図５のように、係合貫通孔１８には、第１筐体リアケース５に形成されている係合爪部５ａが挿入される（図６も参照のこと）。
係合爪部５ａの先端位置には、先端部５ｂが形成されている。
そして、先端部５ｂは係合部天面部５ｃと係合部側壁部５ｄとを有している。
係合部天面部５ｃは天面部４ｄと平行であり、係合部側壁部５ｄは側壁部４ｂと平行である。
【００３６】
図６は、図３のＶＩ−ＶＩ断面における説明図である。
【００３７】
インサート板金１６は、平板状の板金底面部１６ｃと、断面形状がコ字状の部分とを有している。
板金底面部１６ｃの外部方向端部に断面形状がコ字の端部の一片が直角に接合している。つまり、柄杓の断面のような断面形状を有している。
コ字形状部は、板金側壁部１６ｂ、板金天面部１６ｄ及び板金側板部１６ｉを有している。
板金底面部１６ｃと板金側壁部１６ｂとは直角に形成されており、板金側壁部１６ｂは表面方向に向かって伸びている（図４も参照のこと）。
また、板金側壁部１６ｂと板金天面部１６ｄは直角に形成されており、板金天面部１６ｄは外部方向に向かって伸びている。
さらに、板金天面部１６ｄと板金側板部１６ｉとは、直角に形成されている。そして、板金側板部１６ｉは裏面方向に向かって板金側壁部１６ｂに並設して伸びており、左側面１２及び板金側壁部１６ｂと平行に形成されている。
そして、板金側板部１６ｉの長さは板金側壁部１６ｂよりも長く形成されている。
このように、板金側板部１６ｉの長さは板金側壁部１６ｂよりも長く形成されていることから、係合貫通孔１８が形成されていても、インサート板金１６全体の強度を強く保つことができる。
このことによって、係合貫通孔１８が形成されていても第１筐体２の強度を強く保つことが可能となる。
【００３８】
樹脂部１４は、板金底面部１６ｃの外部方向位置から板金側板部１６ｉ部分にまで覆いかぶさるように形成されている。
具体的には、樹脂部１４は樹脂側壁部１４ｂ、樹脂天面部１４ｄ及び板金側板部１６ｉを覆う部分を有する。
そして、係合貫通孔１８は、樹脂天面部１４ｄ及び板金天面部１６ｄ並びに樹脂側壁部１４ｂを貫通する形状に形成される。
係合貫通孔１８は、板金貫通孔第１側壁部１６ｈ、樹脂貫通孔第１側壁部１４ｈ、樹脂貫通孔天面部１４ｇ及び樹脂貫通孔第２側壁部１４ｆから形成される。
この係合貫通孔１８には係合爪部５ａが挿入されて、第１筐体フロントケース４と第１筐体リアケース５とを結合させている。
係合爪部５ａは、先端部５ｂと弾性部５ｅとから形成されており、弾性部５ｅは、外部方向（図６中において紙面右方向）に撓むことが可能である。
先端部５ｂは、係合部天面部５ｃ、係合部側壁部５ｄ及び樹脂貫通孔天面部１４ｇと接して、第１筐体リアケース５が抜けることを抑制する係合面５ｆとを有している。
つまり、係合爪部５ａは鍵形状を有している。
また、第１筐体リアケース５を第１筐体フロントケース４から分離する場合には、強化ガラス１７及び液晶モジュール１９を除去して、ピンセットやその他の器具により係合部側壁部５ｄを外部方向に押すことによって行う。
これによって、第１筐体リアケース５を第１筐体フロントケース４から分離することが容易になる。
また、係合部側壁部５ｄがほぼ、天面部４ｄまで延設されている。
このことは、ピンセット等のワーク面積が増大することを意味する。
そして、このワーク面積が増大したことによって、容易に第１筐体リアケース５を第１筐体フロントケース４から分離することが可能になるという効果がある。
【００３９】
また、係合爪部５ａは、外部方向とは反対側にその爪（係合面５ｆ）が伸びている。
外部方向とは反対側にその爪（係合面５ｆ）が伸びていると、たとえ第１筐体２を開き方向に撓ませても（図６において、左側面１２を上部方向に移動させる方向に撓ませる）、第１筐体リアケース５を第１筐体フロントケース４から分離すること好適に抑制される。
このことによって、ユーザによる外力及び不適切な分解、並びに、落下等による外力等によって、第１筐体リアケース５が第１筐体フロントケース４から分離するという事態が好適に抑制される。
【００４０】
さらにまた、係合爪部５ａは、係合貫通孔１８内に収まるように形成される。
具体的には、係合貫通孔１８は、側壁部４ｂから天面部４ｄまで跨って形成される。
このように構成したことによって、係合貫通孔１８の先端部５ｂが係合する部分を容易に形成することが可能となる。
【００４１】
以上のような構成を有していることから、係合貫通孔１８が形成されていても第１筐体２の強度を強く保つことが可能となる。
また、係合貫通孔１８をインサート板金１６の端部以外に貫通孔として形成したことから、インサート板金１６の強度を主に決定する板金側板部１６ｉを切り欠かずに済ませることもできる。
それによって、筐体の強度（剛性）を落とすことなく、係合貫通孔１８を形成することが可能となる。
【００４２】
＜変形例＞
図７は、本実施形態の変形例の説明図である。
【００４３】
基本的には、図６で説明した構成と同一である。異なる点は、係合部側壁部５ｄが外部方向とは逆方向（内部方向）により張出している点である。
このことによって、液晶モジュール１９（電子部品）を位置決め固定している。
液晶モジュール１９等の電子部品は、正確に位置決めを行う必要がある。
しかし、正確に位置決めする為に、これを収納する空間である収納凹部４ａをこの電子部品とほぼ同一形状にすると、液晶モジュール１９を収納凹部４ａに挿入することが困難となってしまう。
場合によっては、液晶モジュール１９を破壊してしまうおそれさえもある。
そこで、収納凹部４ａを液晶モジュール１９よりもある程度大きく作成しておき、収納凹部４ａに液晶モジュール１９を挿入する。
加えて、強化ガラス１７も第１筐体フロントケース４に固定する。
この状態になってから、第１筐体リアケース５を組み付ける。
そうすると、第１筐体リアケース５の係合部側壁部５ｄが液晶モジュール１９を左右から固定することが可能となる。
【００４４】
以上の実施形態によれば、携帯電話機１は、第１筐体フロントケース４と、第１筐体フロントケース４にインサート成形され、液晶モジュール１９（電子部品）を収納するための収納凹部４ａが形成されたインサート板金１６とを有する。
また、収納凹部４ａを形成する側壁部４ｂに係合されて第１筐体フロントケース４と共に筐体を構成する第１筐体リアケース５と、を有する。
以上のような構成を有していることから、インサート板金１６の有効活用が図られる。
また、係合貫通孔１８をインサート板金１６の端部以外に貫通孔として形成したことから、インサート板金１６の強度を主に決定する板金側板部１６ｉを切り欠かずに済ませることができる。
それによって、筐体の強度（剛性）を落とすことなく、係合貫通孔１８を形成することが可能となる。
【００４５】
インサート板金１６は、第１筐体フロントケース４の外部方向側において側壁部４ｂに並設される板金側板部１６ｉを有している。
そして、板金側板部１６ｉの高さ方向の長さは、側壁部４ｂの高さ方向の長さよりも長い。
このように構成されていることから、係合貫通孔１８が形成されていても、インサート板金１６全体の強度を強く保つことができる。
このことによって、係合貫通孔１８が形成されていても第１筐体２の強度を強く保つことが可能となる。
【００４６】
側壁部４ｂには、第１筐体リアケースが係合される係合貫通孔１８が形成され、第１筐体リアケース５には、係合爪部５ａが形成される。
そして、係合爪部５ａが係合貫通孔１８を通過して収納凹部４ａに侵入することによって第１筐体リアケース５は、収納凹部４ａを形成する側壁部４ｂに係合される。
このような構成によって、第１筐体リアケース５を第１筐体フロントケース４から分離することが容易になる。
また、このような構成によって、ユーザによる外力及び不適切な分解、並びに、落下等による外力等によって、第１筐体リアケース５が第１筐体フロントケース４から分離するという事態を好適に抑制する。
【００４７】
インサート板金１６は、側壁部４ｂの頂点から第１筐体フロントケース４の外部方向端側に形成される天面部４ｄを有している。
そして、係合貫通孔１８は、側壁部４ｂから天面部４ｄまで跨って形成される。
このように構成したことによって、係合貫通孔１８の先端部５ｂが係合する部分を容易に形成することが可能となる。また、第１筐体リアケース５を第１筐体フロントケース４から分離することがさらに容易になる。
【００４８】
第１筐体リアケース５の係合爪部５ａが、側壁部４ｂの頂点にまで延設されている。
また、係合部側壁部５ｄがほぼ、天面部４ｄまで延設されている。
このように構成したことによって、ピンセット等のワーク面積が増大する。
そして、このワーク面積が増大したことによって、容易に第１筐体リアケース５を第１筐体フロントケース４から分離することが可能になるという効果がある。
【００４９】
係合爪部５ａは、収納凹部４ａに収納される液晶モジュール１９（電子部品）を位置決め固定する。
このように構成したことによって、液晶モジュール１９の組込を容易にしつつ、液晶モジュール１９の固定を行うことができる。
【００５０】
係合貫通孔１８は、ヒンジ部９から離間した位置に形成される。
このように構成したことによって、第１筐体フロントケース４の強度を保持しつつ、係合貫通孔１８を形成することが可能となる。
【００５１】
係合貫通孔１８は、収納凹部４ａに収納された電子部品の外延に対応する領域とは異なる位置に形成される。
このように構成したことによって、第１筐体フロントケース４の強度を保持しつつ、係合貫通孔１８を形成することが可能となる。
【００５２】
なお、以上の実施形態において、第１筐体フロントケース４は第１ケースの一例であり、第１筐体リアケース５は第２ケースの一例である。
【００５３】
なお、表面方向及び裏面方向によって形成される方向を高さ方向といい、右側面方向及び左側面方向によって形成される方向において、筐体の中心から外部に延びる方向を外部方向という。
【００５４】
本発明は、以上の実施形態に限定されず、種々の態様で実施されてよい。
【００５５】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００５６】
１…携帯電話機、２…第１筐体、３…第２筐体、４…第１筐体フロントケース（第１ケース）、４ａ…収納凹部、４ｂ…側壁部、４ｃ…底面部、４ｄ…天面部、４ｅ…ガラス側壁部、４ｆ…貫通孔第２側壁部、４ｇ…貫通孔天面部、４ｈ…貫通孔第１側壁部、５…第１筐体リアケース（第２ケース）、５ａ…係合爪部、５ｂ…係合部、５ｃ…係合部天面部、５ｄ…係合部側壁部、５ｅ…弾性部、５ｆ…係合面、６…第２筐体フロントケース、７…第２筐体リアケース、８…表示部、９…ヒンジ部、１０…入力部、１１…右側面、１２…左側面、
１４…樹脂部、１４ｂ…樹脂側壁部、１４ｃ…樹脂底面部、１４ｄ…樹脂天面部、１４ｅ…樹脂ガラス側壁部、１４ｆ…樹脂貫通孔第２側壁部、１４ｇ…樹脂貫通孔天面部、１４ｈ…樹脂貫通孔第１側壁部、１６…インサート板金（ケース部材）、１６ｂ…板金側壁部、１６ｃ…板金底面部、１６ｄ…板金天面部、壁部、１６ｈ…板金貫通孔第１側壁部、１６ｉ…板金側板部（側板部）、１７…強化ガラス、１８…係合貫通孔、１９…液晶モジュール（電子部品）、Ａ…係合貫通孔部分
【図１】
2011171928.tif 000003
【図２】
2011171928.tif 000004
【図３】
2011171928.tif 000005
【図４】
2011171928.tif 000006
【図５】
2011171928.tif 000007
【図６】
2011171928.tif 000008
【図７】
2011171928.tif 000009